(57)【要約】【課題】携帯端末の誤作動を極力防止しながら電力消費を抑える。【解決手段】操作表示部２は、画像を表示する表示パネル１２と、表示パネル１２上に搭載され、ユーザによるタッチ操作を入力するタッチパネル１３とを有する。温度センサ６は、タッチパネル１３の表面温度を検出する。判定部１１は、温度センサ６によって検出された温度に関する情報と、所定の閾値とを比較することにより、ユーザの顔がタッチパネル１３に近接しているか否かを判定する。制御部１０は、判定部１１によってユーザの顔がタッチパネル１３に近接していると判定されている間は、表示パネル１２及びタッチパネル１３の少なくとも一方の動作を停止させる。【選択図】図３
2012178719.tif 000002
【特許請求の範囲】
【請求項１】
画像を表示する表示パネルと、前記表示パネル上に搭載され、ユーザによるタッチ操作を入力するタッチパネルとを有する操作表示部と、
前記タッチパネルの表面温度を検出する温度センサと、
前記温度センサによって検出された温度に関する情報と、所定の閾値とを比較することにより、前記ユーザの顔が前記タッチパネルに近接しているか否かを判定する判定部と、
前記判定部によって前記ユーザの顔が前記タッチパネルに近接していると判定されている間は、前記表示パネル及び前記タッチパネルの少なくとも一方の動作を停止させる制御部と、
を備える携帯端末。
【請求項２】
前記閾値は、
タッチ操作時に前記温度センサによって検出される最高温度よりも高く設定され、
前記判定部は、
前記温度センサによって検出された温度が、前記閾値以上となった場合に、前記ユーザの顔が前記タッチパネルに近接していると判定する、
ことを特徴とする請求項１に記載の携帯端末。
【請求項３】
前記温度センサは、
前記タッチパネルの表面上の複数の異なる位置の温度を検出し、
前記判定部は、
複数の異なる位置の温度が同時に前記閾値以上となった場合に、前記ユーザの顔が前記タッチパネルに近接していると判定する、
ことを特徴とする請求項１又は２に記載の携帯端末。
【請求項４】
前記判定部は、
前記温度センサによって検出された温度が、所定時間、前記閾値以上に維持された場合に前記ユーザの顔が前記タッチパネルに近接していると判定する、
ことを特徴とする請求項１乃至３のいずれか一項に記載の携帯端末。
【請求項５】
所定期間内に前記温度センサによって検出された温度の統計値に基づいて前記閾値を調整する調整部をさらに備える、
ことを特徴とする請求項１乃至４のいずれか一項に記載の携帯端末。
【請求項６】
前記制御部は、
前記温度センサによって検出された温度が、許容範囲外となった場合に、警告を発するか又は自機の動作を停止させる、
ことを特徴とする請求項１乃至５のいずれか一項に記載の携帯端末。
【請求項７】
画像を表示する表示パネルと、前記表示パネル上に搭載され、ユーザによるタッチ操作を入力するタッチパネルとを有する操作表示部を備える携帯端末の制御方法であって、
前記タッチパネルの表面温度を検出する温度センサによって検出された温度に関する情報と、所定の閾値とを比較することにより、前記ユーザの顔が前記タッチパネルに近接しているか否かを判定する判定工程と、
前記判定工程において前記ユーザの顔が前記タッチパネルに近接していると判定されている間は、前記表示パネル及び前記タッチパネルの少なくとも一方の動作を停止させる制御工程と、
を含む制御方法。
【請求項８】
画像を表示する表示パネルと、前記表示パネル上に搭載され、ユーザによるタッチ操作を入力するタッチパネルとを有する操作表示部を備える携帯端末を制御するコンピュータを、
前記タッチパネルの表面温度を検出する温度センサによって検出された温度に関する情報と、所定の閾値とを比較することにより、前記ユーザの顔が前記タッチパネルに近接しているか否かを判定する判定部、
前記判定部によって前記ユーザの顔が前記タッチパネルに近接していると判定されている間は、前記表示パネル及び前記タッチパネルの少なくとも一方の動作を停止させる制御部、
として機能させるプログラム。
【発明の詳細な説明】
【技術分野】
【０００１】
本発明は、通話機能及びその他の情報処理機能を有する携帯端末、該携帯端末の制御方法及びプログラムに関する。
【背景技術】
【０００２】
温度センサを備え、温度上昇を検知すると、画面表示をオフにする携帯端末装置が開示されている（例えば、特許文献１参照）。特許文献１に開示された携帯端末装置によれば、通話時に携帯端末装置がユーザの耳に押し当てられる場合等には、画面表示がオフになるため、ユーザが画面表示を見ることのない間の電力消費を抑えることが可能となる。
【先行技術文献】
【特許文献】
【０００３】
【特許文献１】特開２００１−３５２３９５号公報
【発明の概要】
【発明が解決しようとする課題】
【０００４】
しかし、タッチパネルを搭載した携帯端末の場合、ユーザがタッチパネルに指で触れることでも温度上昇が検出されるため、タッチ操作中に画面表示がオフになるといった誤作動が生じるおそれがある。
【０００５】
本発明は、上記実情に鑑みてなされたものであり、誤作動を極力防止しながら消費電力を抑えることができる携帯端末、制御方法及びプログラムを提供することを目的とする。
【課題を解決するための手段】
【０００６】
上記目的を達成するため、本発明の第１の観点に係る携帯端末は、
画像を表示する表示パネルと、前記表示パネル上に搭載され、ユーザによるタッチ操作を入力するタッチパネルとを有する操作表示部と、
前記タッチパネルの表面温度を検出する温度センサと、
前記温度センサによって検出された温度に関する情報と、所定の閾値とを比較することにより、前記ユーザの顔が前記タッチパネルに近接しているか否かを判定する判定部と、
前記判定部によって前記ユーザの顔が前記タッチパネルに近接していると判定されている間は、前記表示パネル及び前記タッチパネルの少なくとも一方の動作を停止させる制御部と、
を備える。
【０００７】
また、本発明の第２の観点に係る制御方法は、
画像を表示する表示パネルと、前記表示パネル上に搭載され、ユーザによるタッチ操作を入力するタッチパネルとを有する操作表示部を備える携帯端末の制御方法であって、
前記タッチパネルの表面温度を検出する温度センサによって検出された温度に関する情報と、所定の閾値とを比較することにより、前記ユーザの顔が前記タッチパネルに近接しているか否かを判定する判定工程と、
前記判定工程において前記ユーザの顔が前記タッチパネルに近接していると判定されている間は、前記表示パネル及び前記タッチパネルの少なくとも一方の動作を停止させる制御工程と、
を含む。
【０００８】
また、本発明の第３の観点に係るプログラムは、
画像を表示する表示パネルと、前記表示パネル上に搭載され、ユーザによるタッチ操作を入力するタッチパネルとを有する操作表示部を備える携帯端末を制御するコンピュータを、
前記タッチパネルの表面温度を検出する温度センサによって検出された温度に関する情報と、所定の閾値とを比較することにより、前記ユーザの顔が前記タッチパネルに近接しているか否かを判定する判定部、
前記判定部によって前記ユーザの顔が前記タッチパネルに近接していると判定されている間は、前記表示パネル及び前記タッチパネルの少なくとも一方の動作を停止させる制御部、
として機能させる。
【発明の効果】
【０００９】
本発明によれば、タッチパネルの表面温度を検出する温度センサによって検出された温度に関する情報と、所定の閾値とを比較することにより、ユーザの顔がタッチパネルに近接しているか否かが判定され、ユーザの顔がタッチパネルに近接していると判定されている間は、表示パネル及びタッチパネルの少なくとも一方の動作が停止する。こうすることで、ユーザが操作表示部を見たり操作したりすることのない状態を正確に検出して表示パネルやタッチパネルの動作を停止させることができるので、誤作動を極力防止しながら消費電力を抑えることができる。
【図面の簡単な説明】
【００１０】
【図１】本発明の実施形態１に係る携帯端末の外観を一部破砕して示す図である。
【図２】図１に示す携帯端末を用いてユーザが通話する状態を示す図である。
【図３】図１に示す携帯端末の構成を示すブロック図である。
【図４】図４（Ａ）は、図１に示す携帯端末を用いた通話時に温度センサによって検出された温度の一例を示す図である。図４（Ｂ）は、図１に示す携帯端末に対するタッチ操作時に温度センサによって検出された温度の一例を示す図である。
【図５】実施形態１における操作表示部の制御処理のフローチャートである。
【図６】実施形態２に係る携帯端末の外観を一部破砕して示す図である。
【図７】実施形態２における操作表示部の制御処理のフローチャートである。
【図８】図８（Ａ）は、実施形態３に係る携帯端末を用いた通話時に温度センサによって検出された温度の一例を示す図である。図８（Ｂ）は、実施形態３に係る携帯端末に対するタッチ操作時に温度センサによって検出された温度の一例を示す図である。
【図９】実施形態３における操作表示部の制御処理のフローチャートである。
【図１０】実施形態４に係る携帯端末の構成を示すブロック図である。
【図１１】図１１（Ａ）は、実施形態４に係る携帯端末の温度センサによって検出された温度の一例を示す図である。図１１（Ｂ）は、実施形態４に係る携帯端末の温度センサによって検出された温度の一例を示す図である。
【図１２】実施形態４における閾値の調整処理のフローチャートである。
【発明を実施するための形態】
【００１１】
本発明の実施形態について、図面を参照して詳細に説明する。
【００１２】
（実施形態１）
図１を参照して、本実施形態に係る携帯端末１の外観について説明する。携帯端末１は、操作表示部２と、ボタン３と、スピーカ４と、マイクロフォン（以下、単に「マイク」とする）５と温度センサ６とを備える。携帯端末１は、通話機能、電子メール送受信機能、インターネット上のサイト閲覧機能、ゲーム機能等を備える。
【００１３】
操作表示部２及びボタン３は、ユーザによる操作入力を受け付ける。操作表示部２は、携帯端末１の使用や操作に必要な情報等を表示する。
【００１４】
スピーカ４は、通話相手の音声等を出力する。マイク５は、ユーザの音声等を携帯端末１に入力する。スピーカ４とマイク５は、操作表示部２を挟んで配置されている。このため、図２に示すように、ユーザが携帯端末１を用いて通話する場合には、操作表示部２がユーザの顔に近接するようになる。
【００１５】
温度センサ６は、操作表示部２内部に実装される。より具体的には、温度センサ６は、スピーカ４に近い位置に実装される。携帯端末１を用いて通話する場合には、ユーザはスピーカ４を耳に押し当てるため、スピーカ４に近い位置がユーザの顔に近接し、スピーカ４に近い位置の表面温度が上昇する。温度センサ６をスピーカ４に近い位置に温度センサ６を実装することによって、温度センサ６は、通話時にユーザの顔が近接することによる操作表示部２の表面の温度上昇をより正確に検出できる。温度センサ６は、例えば、熱電対である。
【００１６】
次に、携帯端末１のシステム構成について説明する。
【００１７】
携帯端末１は、図３に示すように、上述した操作表示部２、ボタン３、スピーカ４、マイク５、温度センサ６に加え、音声部７と、記憶部８と、通信部９と、制御部１０とを備える。
【００１８】
操作表示部２は、表示パネル１２と、タッチパネル１３とを備える。表示パネル１２は、画像を表示する。例えば、表示パネル１２は、液晶ディスプレイである。タッチパネル１３は、表示パネル１２上に搭載される。タッチパネル１３は、静電容量方式又は感圧方式等により、ユーザによるタッチ操作の接触点を検出するインタフェースである。表示パネル１２に表示された画像に対応するタッチパネル１３上の領域をユーザがタッチすることにより、表示パネル１２の画面に対する直接のタッチ操作が可能となっている。
【００１９】
ボタン３は、ホーム画面を呼び出すためのボタンである。ボタン３が押下されると、ホーム画面を呼び出す信号が制御部１０に出力される。出力された信号に応じて、制御部１０からホーム画面の表示が指示されると、操作表示部２は、表示パネル１２にホーム画面を表示する。ホーム画面には、アプリケーションソフトウエアプログラム（以下、「アプリケーション」と略称する）を開始するためのアイコンや各種データを格納するフォルダのアイコン等が配置される。
【００２０】
温度センサ６は、タッチパネル１３の表面温度を検出する。温度センサ６は、検出された温度を制御部１０に出力する。
【００２１】
音声部７は、Ｄ／Ａ変換器（不図示）等を備え、通信部９から入力された音声データをアナログ音声信号に変換する。音声部７は、アナログ音声信号をスピーカ４に出力する。スピーカ４は、アナログ音声信号を音声に変換して出力する。マイク５は、入力された音声をアナログ音声信号に変換する。音声部７は、アナログ音声信号を音声データに変換する。音声部７は音声データを通信部９と制御部１０とに出力する。
【００２２】
記憶部８は、ＲＯＭ（Read Only Memory）、ＲＡＭ（Random Access Memory）等の読み書き可能なメモリ（不図示）を備える。記憶部８は、制御部１０によって実行制御されるソフトウエアプログラム、音声データ、画像データ、文字データ等各種データを記憶する。ソフトウエアプログラムの中には、アプリケーションやＯＳ（Operating System）のような基本ソフトウエアプログラムなどが含まれている。
【００２３】
通信部９は、例えば、ＣＤＭＡ（Code Division Multiple Access）、ＥＶ−ＤＯ（Evolution Data Only）、無線ＬＡＮ（Local Area Network）等の通信方式による他の通信端末装置や情報処理装置との通信が可能である。
【００２４】
通信部９は、アンテナ（不図示）を備え、アンテナを介して電波を受信する。通信部９は、受信した電波を復調し、音声データ、画像データ、文字データ等の各種データを生成する。音声データは、音声部７に供給され、スピーカ４を介して音声として出力される。画像データ、文字データは、制御部１０に供給され、必要に応じて、表示パネル１２に表示され、あるいは、記憶部８に記憶される。
【００２５】
通信部９は、音声部７から出力された音声データ、制御部１０から供給された画像データ、文字データ等の各種データを変調し、電気信号に変換する。さらに、通信部９は、電気信号を電波に変換してアンテナを介して発信する。
【００２６】
制御部１０は、ＣＰＵ（Central Processing Unit）を備え、ＣＰＵが記憶部８に記憶されたソフトウエアプログラムを実行制御することにより、各部を統括制御し、以下の各種機能を実現する。
【００２７】
制御部１０は、音声データ、画像データ、文字データ等を記憶部８に記憶させる。音声データ、画像データ、文字データ等を外部に発信する場合、制御部１０は、音声データ、画像データ、文字データ等を通信部９に出力する。
【００２８】
制御部１０は、タッチパネル１３に対するタッチ操作の接触点の位置座標のデータをタッチ履歴データとして記憶部８に記憶させる。タッチ操作による入力により、制御部１０により実行されるアプリケーションに対するイベント情報が生成される。制御部１０は、イベント情報に応じてアプリケーションを実行し、表示パネル１２に表示する画像にアプリケーションの実行結果を反映させる。
【００２９】
制御部１０は、表示パネル１２を制御して、アプリケーションの実行結果を反映させた画像を表示させる。
【００３０】
制御部１０は、温度センサ６から出力された温度を記憶部８に記憶させる。
【００３１】
制御部１０は、判定部１１を備える。判定部１１は、温度センサ６によって検出された温度に関する情報と、所定の閾値とを比較することにより、ユーザの顔がタッチパネル１３に近接しているか否かを判定する。より詳細には、判定部１１は、温度センサ６によって検出された温度が、閾値以上となる場合に、ユーザの顔がタッチパネル１３に近接していると判定する。
【００３２】
例えば、閾値は、タッチ操作時に温度センサ６によって検出される最高温度よりも高く設定される。設定された閾値は、記憶部８に記憶される。
【００３３】
図４（Ａ）は、ユーザが携帯電話１を用いて通話している間に温度センサ６によって検出された温度を示す。図２に示すように、通話時にユーザがスピーカ４を耳に押し当てた際には、一定時間継続して顔がタッチパネル１３に近接するため、検出される温度が上昇し、例えば、２５．０℃を超える。一方、図４（Ｂ）は、ユーザがタッチパネル１３に対して一連のタッチ操作を入力している間に温度センサ６によって検出された温度を示す。タッチ操作では、指先がタッチパネル１３に近接する時間が短いため、指先がタッチパネル１３に近接した瞬間に温度が上昇するものの、２５．０℃を超えることはない。このような場合には、温度の閾値を２５．０℃に設定すればよい。
【００３４】
制御部１０は、判定部１１によってユーザの顔がタッチパネル１３に近接していると判定されている間は、表示パネル１２及びタッチパネル１３の少なくとも一方の動作を停止させる。より具体的には、表示パネル１２及びタッチパネル１３の少なくとも一方への電力供給を遮断する。
【００３５】
図５を参照しながら、本実施形態における操作表示部２の制御処理を説明する。
【００３６】
携帯端末１が起動されると、操作表示部２の制御処理が開始される。温度センサ６は、タッチパネル１３の表面温度を検出する（ステップＳ１）。
【００３７】
判定部１１は、温度センサ６によって検出された温度が閾値以上か否かを判定する（ステップＳ２）。検出された温度が閾値以上の場合には（ステップＳ２；Ｙｅｓ）、制御部１０は、表示パネル１２の表示をオフにし、タッチパネル１３に対するタッチ操作を無効にする（ステップＳ３）。制御部１０はステップＳ１に戻る。
【００３８】
一方、検出された温度が閾値未満の場合には（ステップＳ２；Ｎｏ）、制御部１０は、表示パネル１２の表示をオンにし、タッチパネル１３に対するタッチ操作を有効にする（ステップＳ４）。制御部１０はステップＳ１に戻る。
【００３９】
ステップＳ３において、すでに表示パネル１２の表示がオフであって、タッチパネル１３に対するタッチ操作が無効の場合は、制御部１０は、表示パネル１２をオフにしたままとし、タッチパネル１３に対するタッチ操作を無効にしたままとする。これと同様に、ステップＳ４において、すでに表示パネル１２の表示がオンであって、タッチパネル１３に対するタッチ操作が有効の場合は、表示パネル１２をオンにしたままとし、タッチパネル１３に対するタッチ操作を有効にしたままとする。
【００４０】
（実施形態２）
本実施形態に係る携帯端末１では、図６に示すように、複数の温度センサ６が操作表示部２内部に実装される。温度センサ６は、タッチパネル１３の表面上の複数の異なる位置の温度を検出する。判定部１１は、複数の異なる位置の温度が同時に閾値以上となった場合に、ユーザの顔がタッチパネル１３に近接していると判定する。
【００４１】
図７を参照しながら、本実施形態における操作表示部２の制御処理を説明する。ただし、以下の説明では、上記実施形態１で説明したフローと異なる点を主に説明する。
【００４２】
各温度センサ６によって温度が検出されると（ステップＳ１１）、判定部１１は、複数の異なる位置の温度が同時に閾値以上になったか否かを判定する（ステップＳ１２）。
【００４３】
複数の異なる位置の温度が同時に閾値以上になった場合（ステップＳ１２；Ｙｅｓ）、制御部１０は、表示パネル１２の表示をオフにし、タッチパネル１３に対するタッチ操作を無効にする（ステップＳ１３）。制御部１０はステップＳ１１に戻る。
【００４４】
一方、複数の異なる位置の温度が同時に閾値以上にならなかった場合（ステップＳ１２；Ｎｏ）、制御部１０は、表示パネル１２の表示をオンにし、タッチパネル１３に対するタッチ操作を有効にする（ステップＳ１３）。制御部１０はステップＳ１１に戻る。
【００４５】
本実施形態では、各温度センサ６によって検出される複数の異なる位置の温度が同時に閾値以上となった場合に、ユーザの顔がタッチパネル１３に近接していると判定するようにしたが、例えば、温度センサ６で検出された複数の異なる位置の温度の平均値が閾値を超えた場合に、ユーザの顔がタッチパネル１３に近接していると判定するようにしてもよい。
【００４６】
（実施形態３）
本実施形態に係る携帯端末１の構成は、上記実施形態１の構成と同じである。判定部１１は、温度センサ６によって検出された温度が、所定時間、閾値以上に維持された場合にユーザの顔がタッチパネル１３に近接していると判定する。
【００４７】
携帯端末１を用いて通話している間に温度センサ６によって検出される温度を示す図８（Ａ）を参照すると、通話時は、一定時間継続して顔がタッチパネル１３に近接するため、温度センサ６によって検出された温度は、２秒後に２２．５℃を超えて、その後３秒間は２２．５℃以上に維持される。一方、一連のタッチ操作を入力している間に温度センサ６によって検出された温度を示す図８（Ｂ）を参照すると、タッチ操作では、指先が瞬間的にタッチパネル１３に接触するので、温度センサ６によって検出された温度は、１秒後に２２．５℃を超えるが、１．４秒後には、２２．５℃を下回る。例えば、このような場合には、判定部１１は、温度センサ６によって検出された温度が２２．５℃以上に１秒間維持された場合には、ユーザの顔がタッチパネル１３に近接していると判定するようにすればよい。
【００４８】
図９を参照しながら、本実施形態における操作表示部２の制御処理を説明する。ただし、以下の説明では、上記実施形態１で説明したフローと異なる点を主に説明する。
【００４９】
温度センサ６によって温度が検出されると（ステップＳ２１）、判定部１１は、検出された温度が閾値以上か否かを判定する（ステップＳ２２）。
【００５０】
温度が閾値以上の場合（ステップＳ２２；Ｙｅｓ）、判定部１１は、所定時間が経過するまでステップＳ２１に戻る（ステップＳ２３；Ｎｏ）。温度センサ６によって検出された温度が閾値以上であって（ステップＳ２２；Ｙｅｓ）、所定時間が経過すると（ステップＳ２３；Ｙｅｓ）、制御部１０は、表示パネル１２の表示をオフにし、タッチパネル１３に対するタッチ操作を無効にする（ステップＳ２４）。
【００５１】
一方、所定時間が経過するまでに温度センサ６によって検出された温度が閾値未満になると（ステップＳ２２；Ｎｏ）、制御部１０は、表示パネル１２の表示をオンにし、タッチパネル１３に対するタッチ操作を有効にする（ステップＳ２５）。制御部１０は、ステップＳ２１に戻る。
【００５２】
（実施形態４）
本実施形態に係る携帯端末１の構成は、図１０に示すように、実施形態１の構成に加えて調整部１４をさらに備える。調整部１４は、所定期間内に温度センサ６によって検出された温度の平均値（統計値）に基づいて閾値を調整する。
【００５３】
例えば、調整部１４は、温度センサ６によって検出された温度を１０分間隔で取得し、温度の平均値を算出する。図１１（Ａ）は、冬にユーザが携帯端末１を屋外に持ち出したときに調整部１４が温度センサ６を介して取得した温度を示す。この場合には、６．０℃、６．１℃、６．２℃が取得され、平均値として６．１℃が算出される。
【００５４】
図１１（Ｂ）は、夏にユーザが携帯端末１を屋外に持ち出したときに調整部１４が温度センサ６を介して取得した温度を示す。この場合には、２０．９℃、２１．０℃、２０．８℃が取得され、平均値として２０．９℃が算出される。
【００５５】
調整部１４は、メモリ（不図示）を備え、取得した温度をメモリに記憶する。調整部１４は、取得した温度の平均値に基づいて閾値を調整する。例えば、調整部１４は、算出された平均値に２℃を加えた値を閾値にする。図１１（Ａ）の場合は、閾値は、８．１℃となり、図１１（Ｂ）の場合は、閾値は、２２．９℃となる。調整部１４は、記憶部８に調整した閾値を記憶させる。
【００５６】
図１２を参照しながら、本実施形態における閾値の調整処理を説明する。前提として、調整部１４は、温度センサ６によって検出された温度を所定時間毎に取得し、３つの時点の各温度から平均値を算出する。
【００５７】
調整部１４は、所定時間が経過するまで待つ（ステップＳ３１；Ｎｏ）。所定時間が経過すると（ステップＳ３１；Ｙｅｓ）、調整部１４は、温度センサ６によって検出された温度を取得する（ステップＳ３２）。
【００５８】
調整部１４のメモリに３つの時点の各温度が記憶されておらず、平均値の算出ができない場合（ステップＳ３３；Ｎｏ）、調整部１４は、ステップＳ３１に戻る。
【００５９】
一方、調整部１４のメモリに３つの時点の各温度が記憶されており、平均値の算出ができる場合（ステップＳ３３；Ｙｅｓ）、調整部１４は、平均値を算出する（ステップＳ３４）。
【００６０】
調整部１４は、算出された平均値に基づく閾値を記憶部８に記憶させる（ステップＳ３５）。
【００６１】
本実施形態における操作表示部２の制御処理（図５参照）では、調整部１４によって調整され、記憶部８に記憶された閾値を参照し、制御部１０は、温度センサ６によって検出された温度が閾値以上であるか否かを判定する（ステップＳ２）。また、上記実施形態２における操作表示部２の制御処理（図７参照）のステップＳ１２、上記実施形態３における操作表示部２の制御処理（図９参照）のステップＳ２２の閾値についても、本実施形態における調整部１４によって調整されるようにしてもよい。
【００６２】
（実施形態５）
本実施形態に係る携帯端末１の構成は、上記実施形態１の構成と同じである。制御部１０は、温度センサ６によって検出された温度が、許容範囲外となった場合に、警告を発するか又は携帯端末１の動作を停止させる。これにより、異常な温度での携帯端末１の使用による携帯端末１の故障を防止できるうえ、異常な温度に起因する誤作動を防止できる。
【００６３】
以上、詳細に説明したように、上記各実施形態によれば、タッチパネル１３の表面温度を検出する温度センサ６によって検出された温度に関する情報と、所定の閾値とを比較することにより、ユーザの顔がタッチパネル１３に近接しているか否かが判定され、ユーザの顔がタッチパネル１３に近接していると判定されている間は、表示パネル１２及びタッチパネル１３の少なくとも一方の動作が停止する。こうすることで、ユーザが操作表示部２を見たり操作したりすることのない状態を正確に検出して表示パネル１２やタッチパネル１３の動作を停止させることができるので、誤作動を極力防止しながら消費電力を抑えることができる。
【００６４】
上記実施形態２では、温度センサ６は、タッチパネル１３の表面上の複数の異なる位置の温度を検出し、判定部１１は、複数の異なる位置の温度が同時に閾値以上となった場合に、ユーザの顔がタッチパネル１３に近接していると判定するようにした。通話時にはタッチ操作時と比べてより広い範囲に渡ってタッチパネル１３と顔とが近接するため、タッチパネル１３の表面上の複数の異なる位置の温度を用いて判定することによって、さらに正確にユーザの顔がタッチパネル１３に近接しているか否かを判定することが可能となる。
【００６５】
上記実施形態３では、判定部１１は、温度センサ６によって検出された温度が所定時間、閾値以上に維持された場合にユーザの顔がタッチパネル１３に近接していると判定するようにした。これにより、通話中でないにも関わらず、不意にユーザの顔がタッチパネル１３に近接したことでタッチパネル１３の表面温度が瞬間的に閾値を超えることによる表示パネル１２及びタッチパネル１３の動作停止を防ぐことができる。
【００６６】
上記実施形態４では、調整部１４は、所定期間内に温度センサ６によって検出された温度の平均値に基づいて閾値を調整するようにした。このように、携帯端末１の環境に応じて閾値が柔軟に調整されるため、携帯端末１が使用される季節や場所が変更されてもその環境に合わせて閾値が適切に設定される。
【００６７】
上記各実施形態では、温度センサ６に熱電対を用いた。熱電対は、小型化されており、実装面積を小さくでき、内部基板への実装が不要なため、携帯端末１への実装が容易である。また、熱電対は、赤外線センサのように赤外線を外部に照射しなくてよいので、携帯端末１の内部に実装することができる。このため、赤外線等の照射面を携帯端末１の外部に設けなくてよいので、携帯端末１の小型化が可能となる。なお、温度センサ６は、サーミスタ、温度センサＩＣ（Integrated Circuit）等であってもよい。サーミスタ、温度センサＩＣも小型化されており、携帯端末１の内部に実装することができるので、熱電対と同じ利点がある。
【００６８】
なお、上記実施形態４に係る閾値の調整処理は、定期的に自動で実行されるようにしてもよいし、ユーザが任意に実行できるようにしてもよい。また、閾値は、現在の日時に応じて自動で変更されるようにしてもよい。
【００６９】
なお、上記各実施形態では、統計値として平均値を用いたが、平均値でなくても、中央値、最頻値等であってもよい。
【００７０】
なお、上記実施形態３、５、６は、上記実施形態１に係る携帯端末１の構成と同じとしたが、上記実施形態２に係る携帯端末１の構成と同じにしてもよい。また、上記実施形態４は、上記実施形態１に係る携帯端末１の構成に調整部１４を追加することとしたが、上記実施形態２に係る携帯端末１の構成に調整部１４を追加してもよい。また、上記各実施形態を適宜組み合わせてもよい。
【００７１】
なお、上記各実施形態に係る携帯端末１における通信部９は、ＧＰＳ(Global Positioning System）衛星（不図示）から送信される携帯端末１の位置情報を取得するようにしてもよい。制御部１０は、温度センサ６によって検出された温度と通信部９によって取得された位置情報とを対応づけて、通信部９を介して外部のサーバ等に送信する。サーバには、携帯端末１から送信された温度と位置情報とが対応付けて記憶される。こうすることで、携帯端末１が存在する場所の温度を記録できる。サーバは、記録された情報に基づいてある地域における温度分布を生成する。携帯端末１等の端末を用いて、当該サーバにアクセスすると、地図データと生成された温度分布データが端末に送信される。これにより、各場所に存在する携帯端末１から送信された位置情報に基づく温度分布が示された地図を、端末を用いて閲覧できるため、ユーザは、その地域の詳細な温度を把握できる。
【００７２】
なお、携帯端末１は、多機能携帯電話、ＰＨＳ（Personal Handy-phone System）、ＰＤＡ（Personal Digital Assistant）、ＰＣ（Personal Computer）等であってもよい。
【００７３】
なお、上記各実施形態において実行されるプログラムは、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをインストールすることにより、上述の処理を実行するシステムを構成することとしてもよい。
【００７４】
また、プログラムをインターネット等の通信ネットワーク上の所定のサーバ装置が有するディスク装置等に格納しておき、例えば、搬送波に重畳させて、ダウンロード等するようにしてもよい。
【００７５】
また、上述の機能を、ＯＳが分担して実現する場合又はＯＳとアプリケーションとの協働により実現する場合等には、ＯＳ以外の部分のみを媒体に格納して配布してもよく、また、ダウンロード等してもよい。
【００７６】
なお、本発明は、上記各実施形態及び図面によって限定されるものではない。本発明の要旨を変更しない範囲で実施形態及び図面に変更を加えることができるのはもちろんである。
【００７７】
上記の実施形態の一部又は全部は、以下の付記のようにも記載されうるが、以下には限られない。
【００７８】
（付記１）
画像を表示する表示パネルと、前記表示パネル上に搭載され、ユーザによるタッチ操作を入力するタッチパネルとを有する操作表示部と、
前記タッチパネルの表面温度を検出する温度センサと、
前記温度センサによって検出された温度に関する情報と、所定の閾値とを比較することにより、前記ユーザの顔が前記タッチパネルに近接しているか否かを判定する判定部と、
前記判定部によって前記ユーザの顔が前記タッチパネルに近接していると判定されている間は、前記表示パネル及び前記タッチパネルの少なくとも一方の動作を停止させる制御部と、
を備える携帯端末。
【００７９】
（付記２）
前記閾値は、
タッチ操作時に前記温度センサによって検出される最高温度よりも高く設定され、
前記判定部は、
前記温度センサによって検出された温度が、前記閾値以上となった場合に、前記ユーザの顔が前記タッチパネルに近接していると判定する、
ことを特徴とする付記１に記載の携帯端末。
【００８０】
（付記３）
前記温度センサは、
前記タッチパネルの表面上の複数の異なる位置の温度を検出し、
前記判定部は、
複数の異なる位置の温度が同時に前記閾値以上となった場合に、前記ユーザの顔が前記タッチパネルに近接していると判定する、
ことを特徴とする付記１又は２に記載の携帯端末。
【００８１】
（付記４）
前記判定部は、
前記温度センサによって検出された温度が、所定時間、前記閾値以上に維持された場合に前記ユーザの顔が前記タッチパネルに近接していると判定する、
ことを特徴とする付記１乃至３のいずれかに記載の携帯端末。
【００８２】
（付記５）
所定期間内に前記温度センサによって検出された温度の統計値に基づいて前記閾値を調整する調整部をさらに備える、
ことを特徴とする付記１乃至４のいずれかに記載の携帯端末。
【００８３】
（付記６）
前記制御部は、
前記温度センサによって検出された温度が、許容範囲外となった場合に、警告を発するか又は自機の動作を停止させる、
ことを特徴とする付記１乃至５のいずれかに記載の携帯端末。
【００８４】
（付記７）
画像を表示する表示パネルと、前記表示パネル上に搭載され、ユーザによるタッチ操作を入力するタッチパネルとを有する操作表示部を備える携帯端末の制御方法であって、
前記タッチパネルの表面温度を検出する温度センサによって検出された温度に関する情報と、所定の閾値とを比較することにより、前記ユーザの顔が前記タッチパネルに近接しているか否かを判定する判定工程と、
前記判定工程において前記ユーザの顔が前記タッチパネルに近接していると判定されている間は、前記表示パネル及び前記タッチパネルの少なくとも一方の動作を停止させる制御工程と、
を含む制御方法。
【００８５】
（付記８）
画像を表示する表示パネルと、前記表示パネル上に搭載され、ユーザによるタッチ操作を入力するタッチパネルとを有する操作表示部を備える携帯端末を制御するコンピュータを、
前記タッチパネルの表面温度を検出する温度センサによって検出された温度に関する情報と、所定の閾値とを比較することにより、前記ユーザの顔が前記タッチパネルに近接しているか否かを判定する判定部、
前記判定部によって前記ユーザの顔が前記タッチパネルに近接していると判定されている間は、前記表示パネル及び前記タッチパネルの少なくとも一方の動作を停止させる制御部、
として機能させるプログラム。
【符号の説明】
【００８６】
１  携帯端末
２  操作表示部
３  ボタン
４  スピーカ
５  マイクロフォン
６  温度センサ
７  音声部
８  記憶部
９  通信部
１０  制御部
１１  判定部
１２  表示パネル
１３  タッチパネル
１４  調整部
【図１】
2012178719.tif 000003
【図２】
2012178719.tif 000004
【図３】
2012178719.tif 000005
【図４】
2012178719.tif 000006
【図５】
2012178719.tif 000007
【図６】
2012178719.tif 000008
【図７】
2012178719.tif 000009
【図８】
2012178719.tif 000010
【図９】
2012178719.tif 000011
【図１０】
2012178719.tif 000012
【図１１】
2012178719.tif 000013
【図１２】
2012178719.tif 000014